【手続補正書】
【提出日】平成19年2月13日(2007.2.13)
【手続補正１】
【補正対象書類名】明細書
【補正対象項目名】請求項１
【補正方法】変更
【補正の内容】
【請求項１】  ２−３プルダウン方式でインターレース信号に変換されたテレシネ映像信号において、編集などによりテレシネ信号の１部分が欠落した場合に当該欠落部分を検出し、連続的にテレシネ変換されているか否かを判定するテレシネ映像信号検出装置であって、
前記テレシネ映像信号の第１のフィールドと、当該フィールドより少なくとも１フィールド以上離れた第２のフィールドとの間での画像の動きを検出して動き検出信号を生成する動き検出手段と、
前記動き検出信号を１フィールド間累積加算して第１統計信号を生成する第１統計処理手段と、
前記第１統計信号に基づいて、前記第１のフィールドがテレシネ変換された映像であるか否かを判定して第１テレシネ判定信号を生成する第１のテレシネ判定手段と、
前記テレシネ映像信号について１フィールド間ヒストグラム演算を行い映像の統計情報を含む第２統計信号を生成する第２の統計処理手段と、
前記第２統計信号を少なくとも１フィールド遅延させて遅延第２統計信号を生成する１フィールド遅延手段と、
前記第２統計信号と前記遅延第２統計信号と所定の閾値とに基づいて、前記テレシネ映像におけるシーンチェンジを検出してシーンチェンジ検出信号を生成するシーンチェンジ検出手段と、
前記シーンチェンジ検出信号と第１テレシネ判定信号に基づいて、前記第１のフィールドが連続的にテレシネ変換された映像であるか否かを判定して第２テレシネ判定信号を生成する第２の判定手段と、
前記第１テレシネ判定信号および第２テレシネ判定信号のＡＮＤ演算を行うＡＮＤ演算手段とを備え、当該ＡＮＤ演算結果に基づいて前記第１フィールドが連続的にテレシネ変換された映像であるか否かを示すことを特徴とするテレシネ映像信号検出装置。
【手続補正２】
【補正対象書類名】明細書
【補正対象項目名】請求項４
【補正方法】変更
【補正の内容】
【請求項４】  前記第１の判定手段は、前記第１統計信号を５フィールド遅延させてタイミング信号を生成する５フィールド遅延手段を備え、
前記タイミング信号に基づいて、前記第１テレシネ判定信号および第２テレシネ判定信号の何れかを選択的に出力する選択手段を備え、前記映像信号がテレシネ変換された映像であるか否かを連続的に判別することを特徴とする請求項１に記載のテレシネ映像信号検出装置。
【手続補正３】
【補正対象書類名】明細書
【補正対象項目名】請求項５
【補正方法】変更
【補正の内容】
【請求項５】  前記遅延第２統計信号をさらに２フィールド遅延させて遅延第３統計信号を生成する２フィールド遅延手段と、
前記第１テレシネ判定信号に基づいて、前記動き検出信号と前記映像信号の何れかをフィールド単位で、前記第１統計処理手段に選択的に入力させる第１スイッチ手段と、
前記第１スイッチ手段で前記第１統計処理手段への入力を切り替えながら統計処理を行うことで、当該第１統計処理手段のみで前記動き検出信号を１フィールド間累積した結果と入力信号の１フィールド間の統計処理結果を出力し、シーンチェンジ検出手段の出力に応じて当該第１統計信号を前記第１テレシネ判定手段と前記シーンチェンジ検出手段の何れに入力するかを切り替える第２スイッチ手段とをさらに備える請求項４に記載のテレシネ映像信号検出装置。
【手続補正４】
【補正対象書類名】明細書
【補正対象項目名】００１１
【補正方法】変更
【補正の内容】
【００１１】
この場合、映像信号Ｓｖは、制御サイクルＣｃ１〜Ｃｃ１９の間はテレシネ映像Ｖｔであり、制御サイクルＣｃ２０〜Ｃｃ２２の間は非テレシネ映像Ｖｎｔである。制御サイクルＣｃ１〜Ｃｃ５にテレシネ映像単位Ｔｕ１、制御サイクルＣｃ６〜Ｃｃ１０にテレシネ映像単位Ｔｕ２、制御サイクルＣｃ１１〜Ｃｃ１５にテレシネ映像単位Ｔｕ３、そして制御サイクルＣｃ１６〜１９にテレシネ映像単位Ｔｕ４が構成されている。なお、テレシネ映像単位Ｔｕ４は５フィールドでなく４フィールドで構成されている。つまり、制御サイクルＣｃ２０には、テレシネ映像単位Ｔｕ４の一部（最終端）に配置されるべき１フレーム（２フィールド）前のフィールドデータと同一のフィールドデータＨ２の代わりに、異なる画像フィールドデータＪ２が配置されている。つまり、図１４においては、テレシネ映像Ｖｔが不完全な状態（テレシネ映像単位Ｔｕが４フィールド）で、非テレシネ映像Ｖｎｔに切り替わっている例を示している。
【手続補正５】
【補正対象書類名】明細書
【補正対象項目名】００１３
【補正方法】変更
【補正の内容】
【００１３】
判定回路２２０は、上述の映像信号Ｓｖの入力に対して、映像信号Ｓｖの内容を判定して、内部変数ＩＰ＿ｍｏｄｅおよびＭｏｄｅ＿ｆを生成する。判定回路２２０は、さらに、これらの内部変数に基づいて映像信号Ｓｖの内容に応じて出力する映像信号Ｓｉの構成を指示する出力フラグＦを生成する。なお、この出力フラグＦは、判定信号ＳＦに相当する。
具体的に述べると、映像信号Ｓｖのフィールドがテレシネ画像であると判断される場合はＩＰ＿ｍｏｄｅ＝Ｆｉｌｍが出力され、そうでないと判断される場合にはＩＰ＿ｍｏｄｅ＝ＩＰが出力されて映像の種類を示す。なお、連続する２つのテレシネ映像単位Ｔｕ内で、現在のフィールドデータが２つ前（２制御サイクル前）のフィールドデータと同一であると２回判定された時点で、映像信号Ｓｖはテレシネ映像であると判断してＩＰ＿ｍｏｄｅ＝Ｆｉｌｍが出力され、それ以外はＩＰ＿ｍｏｄｅ＝ＩＰが出力される。このようにテレシネ映像Ｖｔの判定は、必然的に映像信号Ｓｖの実際の内容の変化に対して少なくとも２制御サイクル遅れる。
【手続補正６】
【補正対象書類名】明細書
【補正対象項目名】００２４
【補正方法】変更
【補正の内容】
【００２４】
（Ｃｃ１６〜Ｃｃ１９：テレシネ映像単位Ｔｕ４）
制御サイクルＣｃ１６〜Ｃｃ１９においては、映像信号Ｓｖは引き続きテレシネ映像Ｖｔであるので、ＩＰ＿ｍｏｄｅ＝Ｆｉｌｍが出力され、Ｍｏｄｅ＿ｆは１（Ｃｃ１６）、２（Ｃｃ１７）、３（Ｃｃ１８）、および４（Ｃｃ１９）が出力される。結果、出力フラグＦ＝１が出力され続ける。そして、出力フラグＦ＝１に基づいて、先行するテレシネ映像単位におけるのと同様に現制御サイクルのフィールドデータと、１制御サイクル前のフィールドデータから、１制御サイクル後のフレーム（Ｓｉ）が構成されて出力される。なお、上述のようにテレシネ映像単位Ｔｕ４は、５フィールドではなく４フィールドと途中で切れている。
【手続補正７】
【補正対象書類名】明細書
【補正対象項目名】００２５
【補正方法】変更
【補正の内容】
【００２５】
（Ｃｃ２０〜Ｃｃ２２：非テレシネ映像Ｖｎｔ）
本来ならば、先行するテレシネ映像単位Ｔｕ４の５番目のフィールドに相当する制御サイクルＣｃ２０においては、２つ前のフィールドデータＨ２と無関係なフィールドデータＪ２が配されてテレシネ映像単位Ｔｕ４が中断されている。
よって、制御サイクルＣｃ２０〜Ｃｃ２２の間は、ＩＰ＿ｍｏｄｅ＝ＩＰ、Ｍｏｄｅ＿ｆ＝０、および出力フラグＦ＝０が出力される。結果、制御サイクルＣｃ１〜Ｃｃ５におけるのと同様に、入力フィールドデータＪ２（Ｃｃ２０）とその遅延フィールドデータＪ２’、入力フィールドデータＫ１（Ｃｃ２１）とその遅延フィールドデータＫ１’、および入力フィールドデータＬ２（Ｃｃ２２）とその遅延フィールドデータＬ２’とで画像信号Ｓｉが生成される。
【手続補正８】
【補正対象書類名】明細書
【補正対象項目名】００５３
【補正方法】変更
【補正の内容】
【００５３】
図１７を参照して、上述の問題について具体的に説明する。図１７は図１４に示したのと同様に、最上段に示すＣｃ６１〜Ｃｃ７１は、テレシネ映像信号検出装置Ｄｔｃにおける制御サイクルを表す。映像信号Ｓｖは、フイールド期間毎に、フィールドデータＥ２、Ｆ１、Ｆ２、Ｆ１、Ｇ２、Ｇ１、Ｈ２、Ｉ１、Ｊ２、Ｋ１、およびＬ２の順番で入力される。この場合、映像信号Ｓｖは、制御サイクルＣｃ６１〜Ｃｃ６７の間はテレシネ映像Ｖｔであり、制御サイクルＣｃ６８〜Ｃｃ７１の間は非テレシネ映像Ｖｎｔである。
【手続補正９】
【補正対象書類名】明細書
【補正対象項目名】００５５
【補正方法】変更
【補正の内容】
【００５５】
つまり、制御サイクルＣｃ６０〜Ｃｃ６４は完全なテレシネ映像単位Ｔｕｘ（ｘは任意の整数）である。先行する制御サイクルから制御サイクルＣｃ６４までは、上述の「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」の条件が満たされる。それゆえ、制御サイクルＣｃ６５において、テレシネ映像単位Ｔｕｘに続くテレシネ映像単位Ｔｕｘ＋１が開始しているものと見なし、連続する制御サイクルＣｃ６５、Ｃｃ６６、Ｃｃ６７、およびＣｃ６８において、上述の制御サイクルＣｃ１６〜Ｃｃ１８と同様に、ＩＰ＿ｍｏｄｅ＝Ｆｉｌｍ、Ｍｏｄｅ＿ｆとして１、２、３、および４が、出力フラグＦ＝１が出力される。
【手続補正１０】
【補正対象書類名】明細書
【補正対象項目名】００５７
【補正方法】変更
【補正の内容】
【００５７】
なお、制御サイクルＣｃ６９およびＣｃ７１においては、上述の制御サイクルＣｃ２０およびＣｃ２２におけると同様に、ＩＰ＿ｍｏｄｅ＝ＩＰ、Ｍｏｄｅ＿ｆ＝０、そして出力フラグＦ＝０が出力されて、映像信号Ｓｉが正しく構成される。上述のように、従来のテレシネ映像信号検出装置Ｄｔｃにおいては、２−３プルダウン変換されたテレシネ映像信号Ｓｖにおいて、連続する５つのフィールドデータの第３番目と第５番目のフィールドデータが同一であるか否かによって、現フィールドデータがテレシネ映像信号であるか否かを判断している。
【手続補正１１】
【補正対象書類名】明細書
【補正対象項目名】００６２
【補正方法】変更
【補正の内容】
【００６２】
【課題を解決するための手段および発明の効果】
上記課題を解決するために、第１の発明は、２−３プルダウン方式でインターレース信号に変換されたテレシネ映像信号において、編集などによりテレシネ信号の１部分が欠落した場合に欠落部分を検出し、連続的にテレシネ変換されているか否かを判定するテレシネ映像信号検出装置であって、
テレシネ映像信号の第１のフィールドと、フィールドより少なくとも１フィールド以上離れた第２のフィールドとの間での画像の動きを検出して動き検出信号を生成する動き検出器と、
動き検出信号を１フィールド間累積加算して第１統計信号を生成する第１統計処理器と、
第１統計信号に基づいて、第１のフィールドがテレシネ変換された映像であるか否かを判定して第１テレシネ判定信号を生成する第１のテレシネ判定器と、
テレシネ映像信号について１フィールド間ヒストグラム演算を行い映像の統計情報を含む第２統計信号を生成する第２の統計処理器と、
第２統計信号を少なくとも１フィールド遅延させて遅延第２統計信号を生成する１フィールド遅延器と、
第２統計信号と遅延第２統計信号と所定の閾値とに基づいて、テレシネ映像におけるシーンチェンジを検出してシーンチェンジ検出信号を生成するシーンチェンジ検出器と、
シーンチェンジ検出信号と第１テレシネ判定信号に基づいて、第１のフィールドが連続的にテレシネ変換された映像であるか否かを判定して第２テレシネ判定信号を生成する第２の判定器と、
第１テレシネ判定信号および第２テレシネ判定信号のＡＮＤ演算を行うＡＮＤ演算器とを備え、ＡＮＤ演算結果に基づいて第１フィールドが連続的にテレシネ変換された映像であるか否かを示すことを特徴とする。
【手続補正１２】
【補正対象書類名】明細書
【補正対象項目名】００６６
【補正方法】変更
【補正の内容】
【００６６】
第４の発明は、第１の発明において、第１の判定器は、第１統計信号を５フィールド遅延させてタイミング信号を生成する５フィールド遅延器を備え、
タイミング信号に基づいて、第１テレシネ判定信号および第２テレシネ判定信号の何れかを選択的に出力する選択器を備え、映像信号がテレシネ変換された映像であるか否かを連続的に判別することを特徴とする。
【手続補正１３】
【補正対象書類名】明細書
【補正対象項目名】００６７
【補正方法】変更
【補正の内容】
【００６７】
第５の発明は、第４の発明において、遅延第２統計信号をさらに２フィールド遅延させて遅延第３統計信号を生成する２フィールド遅延器と、
第１テレシネ判定信号に基づいて、動き検出信号と映像信号の何れかをフィールド単位で、第１統計処理器に選択的に入力させる第１スイッチと、
第１スイッチで第１統計処理器への入力を切り替えながら統計処理を行うことで、第１統計処理器のみで動き検出信号を１フィールド間累積した結果と入力信号の１フィールド間の統計処理結果を出力し、シーンチェンジ検出器の出力に応じて第１統計信号を第１テレシネ判定器とシーンチェンジ検出器の何れに入力するかを切り替える第２スイッチとをさらに備える。
【手続補正１４】
【補正対象書類名】明細書
【補正対象項目名】００７９
【補正方法】変更
【補正の内容】
【００７９】
ＡＮＤ回路１４は、５フィールド遅延器１３から出力されるタイミング信号Ｓｓ１ｄと、第１統計信号Ｓｓ１とのＡＮＤ演算を行い演算結果Ｒａを出力する。ラッチ１５は、５フィールド遅延器１３から出力されるタイミング信号Ｓｓ１ｄの値が１の時には入力信号である演算結果Ｒａをロードし、タイミング信号Ｓｓ１ｄが０の時には演算結果Ｒａをホールドする。
【手続補正１５】
【補正対象書類名】明細書
【補正対象項目名】００８２
【補正方法】変更
【補正の内容】
【００８２】
ＡＮＤ回路２２は、反転器２０から出力される反転タイミング信号Ｓｓ１ｄｒとＯＲ回路２４の出力信号ＲｃのＡＮＤ演算を行い、演算結果Ｒｂを出力する。
【手続補正１６】
【補正対象書類名】明細書
【補正対象項目名】００９３
【補正方法】変更
【補正の内容】
【００９３】
シーンチェンジ検出器８は、１フィールド間でのヒストグラムの出力結果（の差（第２統計信号Ｓｓ２−遅延第２統計信号Ｓｓ２ｄ））が予め定められた閾値Ｃｘよりも大きい場合には１、それ以外場合は０をシーンチェンジ検出信号Ｓｓｃとして出力する。
【手続補正１７】
【補正対象書類名】明細書
【補正対象項目名】００９４
【補正方法】変更
【補正の内容】
【００９４】
第２テレシネ判定器９は、シーンチェンジ検出器８から出力されるシーンチェンジ検出信号Ｓｓｃを、反転器２０から出力される反転タイミング信号Ｓｓ１ｄｒが０の時に０にリセットし、反転タイミング信号Ｓｓ１ｄｒが１の期間でシーンチェンジ検出信号Ｓｓｃが１になった場合は次にリセットがかかるまで１のデータを保持する（演算結果Ｒｂ）。反転器２５は演算結果Ｒｂを反転させて第２テレシネ判定信号Ｓｔ２を生成する。
【手続補正１８】
【補正対象書類名】明細書
【補正対象項目名】０１０２
【補正方法】変更
【補正の内容】
【０１０２】
ステップＳ８において、シーンチェンジ検出器８はステップＳ６で求めた差分Ｓｙｘが閾値Ｃｘより小さいか否かが判断される。Ｙｅｓの場合は、５フィールドを１組とするテレシネ映像単位Ｔｕにおいて、２番目および４番目のフィールドデータは相関性が高いと判断され、テレシネ映像Ｖｔに関する信号処理を継続する。そして、処理はステップＳ２１８に進んでＭｏｄｅ＿ｆの値が１だけインクリメントされて１または５になり、テレシネ画像に対する処理がなされる。
【手続補正１９】
【補正対象書類名】明細書
【補正対象項目名】０１０５
【補正方法】変更
【補正の内容】
【０１０５】
この場合、映像信号Ｓｖは、制御サイクルＣｃ６１〜Ｃｃ６７はテレシネ映像Ｖｔであり、制御サイクルＣｃ６８〜Ｃｃ７１の間は非テレシネ映像Ｖｎｔである。つまり、制御サイクルＣｃ６８においては、１つ前のフィールドデータＨ２の同源フィールドデータＨ１ではなく、異なる画像のフィールドデータＩ１が入力されている。なお、同図において、Ｓｃ１、Ｓｃ２、およびＳｃ３は、映像信号Ｓｖにおいて、シーンチェンジが行われていることを示している。
【手続補正２０】
【補正対象書類名】明細書
【補正対象項目名】０１０６
【補正方法】変更
【補正の内容】
【０１０６】
本例においても、制御サイクルＣｃ６０〜Ｃｃ６４は完全なテレシネ映像単位Ｔｕｘであるので、「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」の条件が満たされる。それゆえ、制御サイクルＣｃ６５において、テレシネ映像単位Ｔｕｘに続くテレシネ映像単位Ｔｕｘ＋１が開始しているものと見なし、連続する制御サイクルＣｃ６５、Ｃｃ６６、およびＣｃ６７において、上述の制御サイクルＣｃ１６〜Ｃｃ１８と同様に、ＩＰ＿ｍｏｄｅ＝Ｆｉｌｍ、Ｍｏｄｅ＿ｆとして１、２、および３が、出力フラグＦ＝１とともに出力される。
【手続補正２１】
【補正対象書類名】明細書
【補正対象項目名】０１１１
【補正方法】変更
【補正の内容】
【０１１１】
シーンチェンジ検出器８が１つの閾値Ｃｘの入力を受けるのに対して、シーンチェンジ検出器６８は複数の閾値Ｃｘ１、Ｃｘ２、・・・・Ｃｘｎ（ｎは任意の整数）の入力を受けるように構成されている。なお、図８においては、簡便化のために２つの閾値Ｃｘ１およびＣｘ２が入力される例が表示されている。
図８において、第２統計処理器６の出力（第２統計信号Ｓｓ２）と１フィールド遅延器７の出力（遅延第２統計信号Ｓｓ２ｄ）が同一フレームから構成される映像（Ａ１、Ａ２など）である場合とそうでない映像（Ａ２、Ｂ１など）について、それぞれの予め定められた閾値で適応的にシーンチェンジを検出する。これにより、閾値を１つだけでシーンチェンジ検出を行う場合に比べてより高精度にシーンチェンジを検出することが可能となる。
【手続補正２２】
【補正対象書類名】明細書
【補正対象項目名】０１１２
【補正方法】変更
【補正の内容】
【０１１２】
図９に示すフローチャートを参照して、テレシネ映像信号検出装置Ｄｔｐ２の動作について説明する。同フローチャートは、図６に示したフローチャートにおいて、ステップＳ４、Ｓ６、およびＳ８がそれぞれステップＳ１４、Ｓ１６、およびＳ１８に置き換えられている点を除いては、既に説明した図６に示したフローチャートと同じ構成であるので、これら新しいステップＳ１４、Ｓ１６、およびＳ１８に関してのみ説明する。
ステップＳ２において、Ｙｅｓと判断された場合にのみステップＳ１４、Ｓ１６、およびＳ１８の処理が実行される。
【手続補正２３】
【補正対象書類名】明細書
【補正対象項目名】０１１５
【補正方法】変更
【補正の内容】
【０１１５】
上述の如く、本実施形態においては、さらに、シーンチェンジ検出器は第２統計処理器の出力と前記１フィールド遅延器の出力信号から複数個の閾値により適応的にシーンチェンジを検出することを特徴とする。
【手続補正２４】
【補正対象書類名】明細書
【補正対象項目名】０１２１
【補正方法】変更
【補正の内容】
【０１２１】
セレクタ８１０は、第１テレシネ判定器５から出力される第１テレシネ判定信号Ｓｔ１と、第２テレシネ判定器９から出力される第２テレシネ判定信号Ｓｔ２を、第１テレシネ判定器５から出力されるタイミング信号Ｓｓ１ｄのタイミングで切り替える。第１テレシネ判定器５は、タイミング信号Ｓｓ１ｄが１である時にデータをロードし、０の時にはホールドする。第２テレシネ判定器９はタイミング信号Ｓｓｌｄが１である時にはリセットされ、それ以外ではシーンチェンジ検出の演算を行う。
【手続補正２５】
【補正対象書類名】明細書
【補正対象項目名】０１２２
【補正方法】変更
【補正の内容】
【０１２２】
そこで、タイミング信号Ｓｓ１ｄが１である時には第１テレシネ判定器５から出力される第１テレシネ判定信号Ｓｔ１を選ぶ。そして、タイミング信号Ｓｓ１ｄが０である時には、第２テレシネ判定器９から出力される第２テレシネ判定信号Ｓｔ２を選ぶことで、タイミング信号Ｓｓ１ｄが０である場合には第１テレシネ判定器５中のＡＮＤ回路１４とラッチ１５による演算を行わない。タイミング信号Ｓｓ１ｄが１である場合には、シーンチェンジ検出器８と第２テレシネ判定器９による演算を行わせずに、インストラクション数を削減できる。
【手続補正２６】
【補正対象書類名】明細書
【補正対象項目名】０１２６
【補正方法】変更
【補正の内容】
【０１２６】
２フィールド遅延器９０３は、１フィールド遅延器７から出力される遅延第２統計信号Ｓｓ２ｄをさらに２フィールド遅延させて、遅延第３統計信号Ｓｓ２ｄ’を生成する。セレクタ９０１は第１テレシネ判定器５のタイミング信号Ｓｓ１ｄが１である時に動き検出器３から出力される動き検出信号Ｓｍを選び、タイミング信号Ｓｓ１ｄが０である時に映像信号Ｓｖを選ぶ。
【手続補正２７】
【補正対象書類名】明細書
【補正対象項目名】０１２７
【補正方法】変更
【補正の内容】
【０１２７】
第３統計処理器９０４はセレクタ９０１の入力を１フィールド間統計処理し、累積演算、ヒストグラム演算、平均値演算などを行う。
セレクタ９０２は第３統計処理器９０４からの出力を第１テレシネ判定器５のタイミング信号Ｓｓ１ｄが１である時に第１テレシネ判定器５に信号を送出し、タイミング信号Ｓｓ１ｄが０である時に１フィールド遅延器７とシーンチェンジ検出器８に信号を送出する。
【手続補正２８】
【補正対象書類名】明細書
【補正対象項目名】０１２９
【補正方法】変更
【補正の内容】
【０１２９】
本実施形態にかかるテレシネ映像信号検出装置は、さらに、第１テレシネ判定器の結果を用いて統計処理器における入力信号を動き検出器の結果と入力信号とをフィールド単位で切り替えるスイッチ回路を備える。該スイッチ回路で統計処理器への入力を切り替えながら統計処理を行うことで、１つの統計処理器で動き検出器の結果を１フィールド間累積した結果と入力信号の１フィールド間の統計処理結果を出力する。シーンチェンジ検出回路の出力に応じて統計処理回路の結果を判定回路に入力するかシーンチェンジ検出器に入力するかを切り替えるスイッチ回路を備えたことを特徴とする。